(57)【要約】      （修正有）【課題】囲碁等の碁盤に景観を組合せて興趣を齎す景観ボックスと碁盤の複合構造を提供する。【解決手段】ボックス本体１から構成され、該ボックス本体はその周囲を囲む複数のサイドボード１１を備え、該複数のサイドボードは頂部で天井板１２と結合して支持すると共に、底部は底板を設けてボックス構造を形成し、該天井板は透明体で構成すると共にその表面に遊戯用の碁盤格子模様１２１を形成し、かつ、該ボックス本体内に景観物２を設置して透明な天井板を通して鑑賞可能とした。【選択図】図３
0003218187.tif 000002
【実用新案登録請求の範囲】
【請求項１】
ボックス本体から構成され、
該ボックス本体はその周囲を囲む複数のサイドボードを備え、該複数のサイドボードは頂部で天井板と結合して支持すると共に、底部は底板と結合してボックス構造を形成し、
該天井板は透明体で構成すると共にその表面に遊戯用の基板格子模様を形成し、
かつ、該ボックス本体内に景観物を設置して透明な天井板を通して鑑賞可能としたことを特徴とする景観ボックスと碁盤の複合構造。
【請求項２】
前記碁盤格子模様は、囲碁、将棋、ダイヤモンドゲーム、またはチェスの格子模様の中から一つ選ぶことを特徴とする請求項１記載の景観ボックスと碁盤の複合構造。
【請求項３】
前記該ボックス本体の周囲にあるサイドボードに通風孔を設けることを特徴とする請求項１記載の景観ボックスと碁盤の複合構造。
【請求項４】
前記該底板にボックス本体を支持する複数の脚を設けることを特徴とする請求項１記載の景観ボックスと碁盤の複合構造。
【請求項５】
前記該サイドボードの局部或いは周り全部を透明体にすることを特徴とする請求項１記載の景観ボックスと碁盤の複合構造。
【考案の詳細な説明】
【技術分野】
【０００１】
本考案は一種の家具アイテムに関し、特にゲームとしても使用できる複合型の家具アイテムの構造に関する。
【背景技術】
【０００２】
琴、囲碁、書物、絵画は、風雅な趣を具有するものであり、多くの人に好まれるものである。特に中でも「囲碁」は特殊なものである。囲碁の特色として、通常少なくとも２人が互いに対戦するため、人間関係(人と人)の間で、互いに頭を活性化させ、交流を深められるゲーム或いは運動となる。
【０００３】
通常囲碁、将棋、ダイヤモンドゲーム、チェスなどを遊ぶ際、主に碁盤に描かれている格子を使い、ゲームのルールに従ってプレイヤーたちがコマを動かす。よって碁盤とコマはいずれも重要である。しかし、一般的な碁盤は一つのボックス体であり、碁盤の表面に規定の格子を描いている。風雅な趣の角度で見れば、やや単調である。石製のテーブルや木製のテーブルなどの卓面に格子が書かれているものもあるが、尚も風雅な情緒に欠けるため、更なる改善が必要であった。
【先行技術文献】
【特許文献】
【０００４】
【特許文献１】特開昭６０−１３３８３３号公報
【考案の概要】
【考案が解決しようとする課題】
【０００５】
前記公知構造の欠点を解決するため、本考案では景観ボックスと碁盤の複合構造を提供することを主な課題とする。
【課題を解決するための手段】
【０００６】
前記課題を解決するために、本考案は景観ボックスと碁盤の複合構造を提供するものである。ボックス本体を含み、該ボックス本体は周囲に複数のサイドボードを含む。該複数のサイドボードの頂部は天井板と結合し、且つ該複数のサイドボードの底部は、底板と結合してボックス状を形成する。該天井板は透明体であり、該ボックス本体内部に景観物を設置する。且つ該天井板の表面に碁盤格子模様を具有する。このようにボックス本体は、天井板(即ち碁盤)の主なサポート本体である。天井板(即ち碁盤)もまた、ボックス本体の構造板材の一部分となる。そうすることで、プレイヤー２人がプレイする過程において、どちらも譲らず戦う様子が見られるほか、透明ボックス本体内部の造園などの景観が引きたて役となり、和やかで趣のある雰囲気をかもし出す。
【考案の効果】
【０００７】
本考案の構造により、プレイヤー２人がプレイする過程において、どちらも譲らず戦う様子が見られるほか、透明ボックス本体内部の造園などの景観が引きたて役となり、和やかで趣のある雰囲気をかもし出す。
【図面の簡単な説明】
【０００８】
【図１】本考案の斜視図である。
【図２】本考案の立体分解図である。
【図３】本考案の内部に設ける景観物の斜視図である。
【図４】本考案の内部に設ける景観物の側面略図である。
【図５】図５−１〜３はそれぞれ本考案の対戦コマ形状の略図である。
【図６】本考案の効果略図である。
【考案を実施するための形態】
【０００９】
以下、図面を参照しながら、本考案の構造、特徴及び実施例を説明する。
【実施例】
【００１０】
図１及び図２に示すように、本考案は一種の景観ボックスと碁盤の複合構造である。ボックス本体１から構成され、該ボックス本体１は周囲に複数のサイドボード１１を備える。該複数のサイドボード１１の頂部は一つの天井板１２と結合し、且つ該複数のサイドボード１１の底部は、一つの底板１３と結合してボックス状を形成する。該天井板１２は透明体であり、該ボックス本体１内部に図３及び図４に示すような景観物２を設置する。
前記の景観物２は盆栽或いは土を敷き詰めて植える植物、またはミニチュアの山や庭園などの造園にすることができ、または石、砂、葉、枝、おもちゃ、芸術品などを単独或いは組合せて、様々な造園に合わせて使用することができる。且つ該天井板１２の表面に碁盤格子模様１２１を具有する。
本考案の最良実施例として、該サイドボード１１はまた、局部を透明体、或いは周り全部を透明体にすることができ、内部の景観物２を際立たせることで、プレイヤーだけでなく、観戦する方も楽しむことができる。
【００１１】
前記該天井板１２はアクリル或いはガラスなど、透視性のある材料で作ることができ、表面に碁盤格子模様１２１を形成する。囲碁を打てる碁盤になるだけでなく、碁盤を通じて該ボックス本体１内部の景観物２を観察こともでき、対戦中の殺伐とした雰囲気を和らげることができる。
【００１２】
そのような該碁盤格子模様１２１としては、囲碁、将棋、ダイヤモンドゲーム、チェスの格子模様の中から一つ選ぶ。本考案の該ボックス本体１は、該天井板１２(即ち碁盤)の主なサポート本体である。該天井板１２(即ち碁盤)もまた、該ボックス本体１の構造板材の一部分となることで、本考案は碁盤と景観ボックスの複合作用を兼ね備えることになる。
【００１３】
図２に示すのは、本考案の最良実施例である。該ボックス本体１の周囲にあるサイドボード１１に一つの通風孔１１１を設ける、或いは更に多くの通風孔１１１を設けることで、盆栽或いは植物に充分な酸素を与えることが、成長に必須な条件である。
【００１４】
図２に示すのは、本考案の最良実施例である。該底板１３に底穴１３１を設けることで、余分な水分を流すことができる。
【００１５】
図２及び図４に示すように、該ボックス本体１の底部が水で浸されて腐るのを避けるよう、本考案の最良実施例として、該底板１３に複数の脚１３２を設ける。
【００１６】
図６に示すように、二人が囲碁を指し、植栽の景観物２にすれば、一種の田舎ののどかな趣さえも感じることができる。
【００１７】
該碁盤格子模様１２１は囲碁、将棋、ダイヤモンドゲーム、チェスなど碁盤格子模様とすることができる。例えば景観との協調性に配慮して、該景観物２を古き良き街並みや山間の麦畑、或いは枯山水の中国絵画スタイルとする場合、囲碁の碁盤格子模様１２１に設置することができる。囲碁の起源は古代の中国で、文人の風雅を兼ね備えたゲームであるため、補完にもなり良き効果を収める。
【００１８】
また、例えば該景観物２が古代ヨーロッパの城である場合、チェスの碁盤格子模様１２１と合わせて、中世期宮廷の雰囲気を出すこともできる。
【００１９】
図５−１に示すように、該天井板１２(即ち碁盤)に対陣できる二組のコマを付設し、うちの１組のコマは各自別の組のコマの各第二コマ３Ｂ(囲碁を例に挙げると、黒石)と合わせる第一コマ３Ａ（囲碁を例に挙げると、白石）、且つ該各第二コマ３Ｂと該各第一コマ３Ａの形状は、それぞれ対称を形成する。図５−２、図５−３も同様、該各第二コマ３Ｄ、３Ｆと該各第一コマ３Ｃ、３Ｅの各種のコマのスタイルと図案形状は、互いに対称となるよう形成する。例えば四葉のクローバー、もみじ、梅の花、アサガオ・・・など意味をも伝えるコマとして囲碁などのゲームをプレイする。また、ボックス内の造園に合わせることができ、更に対局する際の風雅な趣と雰囲気を楽しむことができる。
【００２０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２１】
１  ボックス本体
１１  サイドボード
１１１  通風孔
１２  天井板
１２１  碁盤格子模様
１３  底板
１３１  底穴
１３２  脚
２  景観物
３Ａ  第一コマ
３Ｂ  第二コマ
３Ｃ  第一コマ
３Ｄ  第二コマ
３Ｅ  第一コマ
３Ｆ  第二コマ
【図１】
0003218187.tif 000003
【図２】
0003218187.tif 000004
【図３】
0003218187.tif 000005
【図４】
0003218187.tif 000006
【図５】
0003218187.tif 000007
【図６】
0003218187.tif 000008